(57)【要約】【課題】部品点数を増加させることなく、また組立て性も損なうことなく、電動送風機内の排気を外部にスムーズに流し、効率向上を図った電動送風機を提供する。【解決手段】ロータ（図示せず）を回転自在に支持した電動機３０６と、ロータの回転軸（図示せず）に取り付けられ複数のブレード（図示せず）を有するインペラ（図示せず）と、インペラで発生した気流を導くエアガイド（図示せず）と、中央部に吸気口３０５を有しインペラとエアガイドを内包するケーシング３０４と、電動機３０６の外周に設けられ電動機３０６を固定する為のモータサポート２１３とを具備し、インペラから発生した気流を外部にスムーズに流すための流路をモータサポート２１３に形成した。【選択図】図３
2011094543.tif 000002
【特許請求の範囲】
【請求項１】
電力が供給されると回転するロータを回転自在に支持した電動機と、前記ロータの回転軸に取り付けられ複数のブレードを有するインペラと、前記インペラで発生した気流を導くエアガイドと、中央部に吸気口を有し前記インペラと前記エアガイドを内包するケーシングと、前記電動機の外周に設けられ前記電動機を固定する為の係止部品とを具備し、前記インペラから発生した気流を外部にスムーズに流すための流路を前記係止部品に形成したことを特徴とする電動送風機。
【請求項２】
流路を、複数面で形成した請求項１に記載の電気掃除機。
【請求項３】
流路の形状を、排気の下流側に向かって次第に広くなるようにした請求項１または２に記載の電動送風機。
【請求項４】
係止部品に流路を複数設けたことを特徴とする請求項１〜３のいずれか１項に記載の電動送風機。
【請求項５】
請求項１〜４のいずれか１項に記載の電動送風機を搭載した電気掃除機。
【発明の詳細な説明】
【技術分野】
【０００１】
本発明は、電気掃除機などの電気機器本体に組み込まれる電動送風機及び、それを用いた電気掃除機に関するものである。
【背景技術】
【０００２】
電気掃除機の本体内に収納される従来の電動送風機として、電動送風機の排気口の周囲に、排気口を覆う別部品を設けたものがある（例えば、特許文献１参照）。
【０００３】
上記特許文献１に記載された従来の電動送風機について、図５から図７を用いて説明する。
【０００４】
図５は、従来の電動送風機の流路断面図、図６は、同電動送風機の排気口を覆う排気カバーの平面図、図７は、同電動送風機の排気口を覆う排気カバーの縦断面図である。
【０００５】
図５〜７において、電動送風機２２の排気口１８を覆う排気カバー１９は、ハウジング３の外壁と接し、排気口１８を覆うように設けている。さらにハウジング３の外壁と接し、排気カバー１９により排気口１８からつらなる流路２０が形成される。１３は、ファンケーシング、１４は、リターンガイドである。
【０００６】
排気カバー１９には、外周部を形成する側壁部１９ａと、この側壁部１９ａの下方と接続され、フランジ部４の外周と接する下壁部１９ｂと、下壁部１９ｂに形成された開口部１９ｃと、フランジ部４が挿入される大開口部１９ｄが形成されている。遠心羽根車（図示せず）からの昇圧した空気の一部は、排気口１８を通り、下壁部１９ｂに形成された開口部１９ｃから排出され、モータ内部を冷却した空気と合流し電動送風機２２に流れる。
【０００７】
図６、図７に示すように、排気口１８を覆う排気カバー１９は、ハウジング３の周囲を覆うように設けており、形成される流路２０は、モータ回転方向に対し、一定の断面積Ｄ（図７参照）を持つように設置されている。
【０００８】
このような構造にすることにより、ハウジング３の外壁と排気口１８を覆う排気カバー１９によって形成された流路２０により、遠心羽根車（図示せず）からの昇圧した空気の一部を外部へ排出する際に、前記流路２０内で整流される。また、排気口部もしくは排気口１８からの漏れ騒音は、形成される流路２０を通ることにより騒音の遮断とハウジング３の面と排気口１８を覆う排気カバー１９の内壁で反射されるために流路２０内で騒音の減衰が行われる。その結果、排気口１８からの空気を連続して流路に流入でき、損失なく騒音を低減でき、電動送風機２２の効率向上と低騒音化を両立することができる。
【先行技術文献】
【特許文献】
【０００９】
【特許文献１】特開２００８−２８０８４８号公報
【発明の概要】
【発明が解決しようとする課題】
【００１０】
しかしながら前記従来の電動送風機の構成においては、電動送風機２２に別部品を設けなければならず、そのために製品の組立てが複雑になり、また別部品を設けることによりコストアップになる、という課題を有していた。
【００１１】
本発明は、上記課題を解決するもので、部品点数を増加させることなく、また組立て性も損なうことなく、電動送風機内の排気を外部にスムーズ流し、効率向上を図った電動送風機及び電気掃除機を提供することを目的とする。
【課題を解決するための手段】
【００１２】
上記従来の課題を解決するために、本発明の電動送風機は、電力が供給されると回転するロータを回転自在に支持した電動機と、前記ロータの回転軸に取り付けられ複数のブレードを有するインペラと、前記インペラで発生した気流を導くエアガイドと、中央部に吸気口を有し前記インペラと前記エアガイドを内包するケーシングと、前記電動機の外周に設けられ前記電動機を固定する為の係止部品とを具備し、前記インペラから発生した気流を外部にスムーズに流すための流路を前記係止部品に形成したもので、部品点数を増やすこと無く、外部への排出時に乱流となっている排気の流れを整流化し、また電動送風機の周囲の圧損が低い箇所に排気を案内することにより、電動送風機の効率向上を図ることができる。
【００１３】
また、本発明の電気掃除機は、請求項１〜４のいずれか１項に記載の電動送風機を搭載したもので、効率向上を図った電動送風機を搭載することにより、吸込み性能を向上した電気掃除機を提供することができる。
【発明の効果】
【００１４】
本発明によれば、部品点数を増加することなく、また組立て性を損なうことなく効率が向上した電動送風機及び電気掃除機を提供できる。
【図面の簡単な説明】
【００１５】
【図１】本発明の第１の実施の形態における電動送風機を搭載した電気掃除機の全体構成を示す斜視図
【図２】同電気掃除機の掃除機本体の断面図
【図３】同電動送風機の側面図
【図４】電動送風機の一部欠載断面図
【図５】従来の電動送風機の流路断面図
【図６】同電動送風機の排気口を覆う排気カバーの平面図
【図７】同排気カバーの縦断面図
【発明を実施するための形態】
【００１６】
第１の発明は、電力が供給されると回転するロータを回転自在に支持した電動機と、前記ロータの回転軸に取り付けられ複数のブレードを有するインペラと、前記インペラで発生した気流を導くエアガイドと、中央部に吸気口を有し前記インペラと前記エアガイドを内包するケーシングと、前記電動機の外周に設けられ前記電動機を固定する為の係止部品とを具備し、前記インペラから発生した気流を外部にスムーズに流すための流路を前記係止部品に形成したもので、外部への排出時に乱流となっている排気の流れを整流化し、また電動送風機の周囲の圧損が低い箇所に排気を案内することにより、電動送風機の効率向上を図ることができる。
【００１７】
第２の発明は、特に、第１の発明の流路を、複数面で形成したもので、例えば、流路の形状を、周囲の掃除機本体の部品形状等に合わせるように複数面で形成すれば、より一層電動送風機の効率向上を図ることができる。
【００１８】
第３の発明は、特に、第１または第２の発明の流路の形状を、排気の下流側に向かって次第に広くなるようにしたもので、外部へ排出された気流が、流路を進むにしたがって圧損を下げることができ、電動送風機の効率向上を図ることができる。
【００１９】
第４の発明は、特に、第１〜３のいずれか一つの発明の係止部品に流路を複数設けたもので、電動送風機の排気口を複数設けている場合には、各排出口に排気の流路を設けることができるのでよりスムーズに排気風を排出し、電動送風機の効率向上を図ることができる。
【００２０】
第５の発明に係る電気掃除機は、請求項１〜４のいずれか１項に記載の電動送風機を搭載したもので、効率向上を図った電動送風機を搭載することにより、吸込み性能を向上した電気掃除機を提供することができる。
【００２１】
以下、本発明の実施の形態について、図面を参照しながら説明する。なお、この実施の形態によって本発明が限定されるものではない。
【００２２】
（実施の形態１）
本発明の実施の形態１における電動送風機について、図１〜４を用いて説明する。図１は、同電動送風機を搭載した電気掃除機の全体構成を示す斜視図、図２は、同電気掃除機の掃除機本体の断面図である。
【００２３】
図１、２において、本実施の形態における電動送風機１１０は、電気掃除機の掃除機本体１０１の後部に内蔵され、掃除機本体１０１の前部に、塵埃を集積する集塵袋２０３を挿入する集塵室２０２が設けられている。
【００２４】
２０５は、掃除機本体１０１の吸込口であり、同部には、ホース１０２が取り付けられ、その前方に、延長管１０４、床ノズル１０５が順に取り付けられている。集塵室２０２と電動送風機室２０４との間は連通孔２０６を形成した隔壁２０７によって仕切られ、その前方にはプレフィルタ２０８が配されている。また、掃除機本体１０１の後方には、電動送風機１１０からの排気を排出する排気口２０９が備えられ、その直前に排気フィルタ２１０が設けられている。
【００２５】
次に電動送風機１１０周辺について図３を用いて説明する。図３は、電動送風機１１０の側面図である。
【００２６】
図３において、電動送風機１１０の前方には、サポートゴムマエ２１１が取着され、電動送風機１１０の後方には、係止部品としてモーターサポート２１３がビス（図示せず）により係止されており、モーターサポート２１３にサポートゴムウシロ２１２が取り付けられ、電動送風機室２０４の中にそれらのサポートゴムを介する形で固定され、格納されている。
【００２７】
最後に、電動送風機１１０の内部の構成について図４を用いて説明する。図４は、電動送風機１１０の一部欠載断面図である。
【００２８】
図４において、複数のブレード３０２から構成されるインペラ３０１は、気流を発生させるもので、エアガイド３０３は、インペラ３０１で発生した気流を導く。ケーシング３０４は、中央部に吸気口３０５を持ち、インペラ３０１、エアガイド３０３を内包している。電動機３０６は、インペラ３０１を回転駆動するもので、回転軸３０９を有しその両端が軸受３０７によって回転自在に支持されたロータ３０８と、ロータ３０８の周りで磁界を発生するステータ３１０と、整流子３１１に電力を供給する一対のカーボンブラシ３１２からなり、ブラケット３１３によって覆われている。
【００２９】
以上のように構成された電動送風機１１０の作用、動作は以下の通りである。電動送風
機１１０に電力が供給されると、ロータ３０８が回転し、それに直結されたインペラ３０１が回転する。そして、インペラ３０１内の空気を増速させ、増速された空気は、エアガイド３０３にて減速されながら、電動機３０６へ導かれ、ロータ３０８、ステータ３１０、カーボンブラシ３１２を冷却しながら、ブラケット３１３に設けた排気口３１４より排出される。
【００３０】
通常排気口３１４から排気風３１５を流出する通路を設けない場合、排気口３１４から出る際に、排気風３１５が乱流となり、スムーズに排気が電動送風機１１０より排出されない。結果として電動送風機１１０のインペラ３０１から発生させる気流がスムーズに電動送風機１１０内に導入することができないので、電動送風機１１０の効率向上が図れなかった。
【００３１】
しかしながら、本実施の形態では、電動送風機室２０４内で排気風３１５をモーターサポート２１３により形成した排気流路を通過させることで、排気風３１５は排気口３１４を通過する際に整流化されることにより、排気の際の圧力損失が無くなる。よって電動送風機１１０にスムーズに吸入空気を導入することができ、電動送風機１１０の効率向上を図ることができる。
【００３２】
また、モーターサポート２１３の流路の形状を、複数面とすることで、電動送風機室２０４内で排気風３１５の向きを自由にコントロールすることができ、掃除機本体１０１内から外部へ排気を排出する際の圧損が低い部位に向かって排出することにより、より電動送風機１１０の効率向上を図ることができる。
【００３３】
さらに、モーターサポータ２１３の流路の形状を下流に向かって次第に流路面積を広くすることや排気口３１４を複数設ける場合においても、電動送風機室２０４への排気風３１５の流出をスムーズにし、電動送風機１１０からの排気圧損を減らすことができるので、電動送風機１１０の効率向上を図ることができる。
【産業上の利用可能性】
【００３４】
以上のように、本発明にかかる電動送風機及びそれを搭載した電気掃除機は、簡便な手段により電動送風機の吸込み効率を向上させることができるので、利用者に利便性を高めた電気掃除機を提供することが出来、各種家庭用、業務用電気掃除機等に広く適用できる。また、電動送風機を利用する各種家庭、業務用等の電化機器に有用である。
【符号の説明】
【００３５】
１０１  掃除機本体
１０２  ホース
１０４  延長管
１０５  床ノズル
１１０  電動送風機
２０２  集塵室
２０３  集塵袋
２０４  電動送風機室
２０５  吸込口
２０６  連通孔
２０７  隔壁
２０８  プレフィルタ
２０９  排気口
２１０  排気フィルタ
２１１  サポートゴムマエ
２１２  サポートゴムウシロ
２１３  モーターサポート（係止部品）
３０１  インペラ
３０２  ブレード
３０３  エアガイド
３０４  ケーシング
３０５  吸込口
３０６  電動機
３０７  軸受
３０８  ロータ
３０９  回転軸
３１０  ステータ
３１１  整流子
３１２  カーボンブラシ
３１３  ブラケット
３１４  排気口
３１５  排気風
【図２】
2011094543.tif 000003
【図３】
2011094543.tif 000004
【図１】
2011094543.tif 000005
【図４】
2011094543.tif 000006
【図５】
2011094543.tif 000007
【図６】
2011094543.tif 000008
【図７】
2011094543.tif 000009